(57)【要約】【課題】    鼻マスク等の治療具を使用したり、寝巻きやパジャマに加工することなく、仰向け寝姿勢で睡眠することによる鼾の防止や、閉塞性の睡眠時無呼吸症候群を抑止しうる鼾防止具を提供する。【解決手段】    横向きで寝る人の背中にあてがわれて背中の後方へ突出するように配置され、その側面部を寝床に当接することにより横向きの寝姿勢から仰向けの寝姿勢への姿勢変化を阻止して横向き寝姿勢を維持しうる背当て部材と、上記背当て部材に取付けられ、寝る人の肩に掛けて背負うことにより上記背当て部材を背中に固定しうる背負いベルトを有することを特徴とする。【選択図】図３
0003140269.tif 000002
【実用新案登録請求の範囲】
【請求項１】
横向きで寝る人の背中にあてがわれて背中の後方へ突出するように配置され、その側面部を寝床に当接することにより横向きの寝姿勢から仰向けの寝姿勢への姿勢変化を阻止して横向き寝姿勢を維持しうる背当て部材と、前記背当て部材に取付けられ、寝る人の肩に掛けて背負うことにより上記背当て部材を背中に固定しうる背負いベルトとを有することを特徴とする鼾防止具。
【請求項２】
上記背当て部材は、壁面が網状に形成されたザル状の部材を分割可能に結合させて中空箱形に形成され、内部に吸湿剤等の収納部を有することを特徴とする請求項１記載の鼾防止具。
【請求項３】
上記背当て部材は、使用時に立体的に組立て可能で、不使用時は偏平に折畳み可能な箱形に形成されていることを特徴とする請求項１記載の鼾防止具。
【請求項４】
上記背当て部材は、外包部材と、上記外包部材に収納される内部詰込部材とからなり、上記外包部材は上記背負いベルトに接合されていることを特徴とする請求項１記載の鼾防止具。
【考案の詳細な説明】
【技術分野】
【０００１】  本考案は、睡眠時の仰向け姿勢により発生しやすい鼾を防止すると共に、閉塞性の睡眠時無呼吸症候群の抑止にも有効な鼾防止具に関する。
【背景技術】
【０００２】  鼾の原因のひとつに、寝る時の姿勢があり、仰向けで寝た場合、入眠後に喉の筋肉の緩みと共に、重力の影響で舌根や口蓋垂が喉に落ち込み、気道が狭くなって、呼吸の空気抵抗が増し振動して鼾になる。酷い時には、喉に落ち込んだ舌根が、気道を完全に塞ぎ空気が遮断されて、閉塞性の睡眠時無呼吸症候群となり、健康を害し場合によっては生命の危険もありうる。
【考案の開示】
【考案が解決しようとする課題】
【０００３】  横向きの姿勢で寝ることにより、重力の影響による舌根の喉への落ち込みがなくなり、鼾を防止できることは、既に周知であり、横向きの寝姿勢にするための用具は、種々考案され市販されており、また、背中に枕や座布団をあてがう等もあるが、これらは何れも、最初は横向き姿勢で寝ても、入眠してしまうと、いつの間にか仰向け寝になってしまい、鼾をかいている。【０００４】  例えば、抱き枕を抱えて横向き寝になっていても、入眠後には抱き枕を手放してしまい仰向け寝になっており、また、枕の中央部を山状に高くして、頭が左右どちらかを向くようにと考案された製品もあるが、これも、中央部の高い部分を避け、枕の両端の低い部分に頭を乗せて仰向け寝になると鼾をかいてしまう。【０００５】  他にも、パジャマや寝巻きの背中に、仰向け寝防止のための妨害物を取付けたり、空気袋を設けた考案もあるが、これらはパジャマ等の背中に、そのための細工や加工を施さなければならない。また、睡眠中の汗を吸い込んだパジャマ等は、頻繁に洗濯をしなければならず、これらの考案は洗濯にも不向きである。【０００６】  睡眠時無呼吸症候群の治療には「ＣＰＡＰ」が多く用いられており、これによって安眠を得られる人も多数いるが、反面、人によっては、「ＣＰＡＰ」のヘッドギアやエアホースが接続された鼻マスクを、顔面に装着して寝なければならないので、大変苦痛でもあり、睡眠時に無呼吸状態が発生すると、気道を塞いでいる舌根を押し上げるために、鼻マスクから高圧空気が送り込まれるので、驚いて、その都度覚醒してしまい、却って、よく眠れずに治療を断念する場合もあるなどの不具合があった。【０００７】  本考案の課題は、上記の不具合を解消すること、即ち、パジャマや寝巻きに何ら加工する必要もなく、パジャマ等の製造や洗濯が容易であり、且つ、鼻マスク等の治療具を装着する煩雑もない鼾防止具を提供することにある。
【課題を解決するための手段】
【０００８】  上記課題を解決するために、本考案に係る鼾防止具は、横向きで寝る人の背中にあてがわれて背中の後方へ突出するように配置され、その側面部を寝床に当接することにより横向きの寝姿勢から仰向けの寝姿勢への姿勢変化を阻止して横向の寝姿勢を維持しうる背当て部材と、上記背当て部材に取付けられ、寝る人の肩に掛けて背負うことにより上記背当て部材を背中に固定しうる背負いベルトとを有することを特徴とする。【０００９】  本考案の鼾防止具は、鼾や睡眠時無呼吸症候群に悩む人のために案出されたものであって、本考案に係わる鼾防止具を着用することにより、睡眠時の鼾や睡眠時無呼吸症候群の発生を抑止することができる。本考案の鼾防止具を使用する場合は、上記背負いベルトを肩に掛けることにより上記背当て部材を背中に固定した状態にし、この状態の横向き姿勢で入眠する。これにより、睡眠時に仰向けになるように寝返りしようとしても、上記背当て部材の側面部が寝床に当接して阻止するので、使用者は仰向けになることができず、横向きの寝姿勢を維持することになる。従って、仰向け姿勢で睡眠した場合の重力の影響による舌根の喉への落込みが回避され、気道の閉塞が防止されるので、鼾の防止や睡眠時無呼吸症候群が抑止される。【００１０】  また、上記背当て部材は、壁面が網状に形成されたザル状の部材を分割可能に結合させて中空箱形に形成され、内部に吸湿剤等の収納部を有するように構成することができる。また、上記背当て部材は、使用時は立体的に組立て可能で、不使用時には偏平に折畳み可能な箱形に形成することも可能である。また、上記背当て部材は、外包部材と、上記外包部材に収納される内部詰込部材とからなり、上記外包部材は上記背負いベルトに接合されている構成にすることも可能である。
【考案の効果】
【００１１】  請求項１記載の本考案の鼾防止具は、横向きで寝る人の背中にあてがわれて背中の後方へ突出するように配置され、その側面部を寝床に当接することにより横向きの寝姿勢から仰向けの寝姿勢への姿勢変化を阻止して横向き寝姿勢を維持しうる背当て部材と、上記背当て部材に取付けられ、寝る人の肩に掛けて背負うことにより上記背当て部材を背中に固定しうる背負いベルトを有して構成されることから、これを睡眠時に着用すれば、上記のように睡眠時に仰向けになるように寝返りしようとしても、上記背当て部材の側面部が寝床に当接して阻止するので、睡眠する者は仰向けになることができず、横向きの寝姿勢を維持することができ、これにより、仰向け姿勢で睡眠した場合の重力の影響による舌根の喉への落込みが回避され、気道の閉塞が防止されるので、鼾を防止し睡眠時無呼吸症候群が抑止されるため、上記「ＣＰＡＰ」等の治療具を使用する場合のような不具合もなくなる。また、本考案の鼾防止具は、パジャマや寝巻きには全く加工の必要がなく、パジャマ等の製造や洗濯も容易である。【００１２】  また、請求項２記載の本考案の鼾防止具は、上記背当て部材の壁面が、網状に形成されたザル状の部材を分割可能に結合させて中空箱形に形成されており、他の形状のものに比べ、全体が軽量で使用者の負担が小さく使い勝手が良好である。また、壁面が網状なので通気性が良好であり、暑い季節には内部に吸湿剤、乾燥剤、保冷剤等を収納し、寒い季節には保温剤等を収納したり、背当て部材全体を保温性の良い布やカバーで覆うなどして、快適な環境で使用することができる。また、本考案の鼾防止具を装着して横向き姿勢で寝たとき、背当て部材の側面が寝床の上に置かれた状態になるため背中への負荷もほとんど無くなり、背負いベルトのしめつけ感も緩み楽な姿勢で安眠できる。また、横向き寝姿勢から反対向きの横向き寝姿勢になりたいときは、背中側から寝返るのではなく胸側から寝返ることによって可能である。【００１３】  請求項３記載の本考案の鼾防止具の、上記背当て部材は、使用時に立体的に組立て可能で、不使用時は偏平に折畳み可能な箱形に形成されていることから、折畳んだ状態で旅行バック等に入れて携行でき、旅行や出張先での就寝時に、折畳み部を展開し組立てて背中へ装着し、横向き寝姿勢で睡眠することにより鼾の発生が防止されて、同宿者にも迷惑をかけず、更に、睡眠時無呼吸症候群を抑止することができる。【００１４】  また、請求項４記載の本考案の鼾防止具は、外包部材と、上記外包部材に収納される内部詰込部材とからなり、上記外包部材は上記背負いベルトに接合されていることから、上記外包部材と背負いベルトはリュックサックのように一体に製造することができ、製造が容易化する。また、上記外包部材に上記内部詰込部材を収納するだけで、上記背当て部材を容易に完成させることができ、上記内部詰込部材に上記背負いベルトを取付ける必要がない。また、上記外包部材は上記内部詰込部材を覆っているので、上記内部詰込部材の保温効果もある。
【考案を実施するための最良の形態】
【００１５】  以下、図面を用いて本考案の実施の形態について説明する。
本実施の形態に係る鼾防止具１０，２０，３０は、図１〜図７に示すように、横向きで寝る人の背中にあてがわれて背中の後方へ突出するように配置され、その側面部を寝床に当接することにより、横向きの寝姿勢から仰向けの寝姿勢への姿勢変化を阻止して横向き寝姿勢を維持しうる背当て部材１１，２１，３５と、上記背当て部材１１，２１，３５に取付けられ、寝る人の肩に掛けて背負うことにより、上記背当て部材１１，２１，３５を背中に固定しうる背負いベルト１２ａ，１２ｂ，２２ａ，２２ｂ，３４ａ，３４ｂとを有している。
なお、図１〜３に示す実施形態では、上記背当て部材１１は、壁面が網状に形成されたザル状の部材を分割可能に結合させて中空箱形に形成され、内部には吸湿剤等の収納部１４ｉを有するように構成されている。また、図４及び図５に示す実施形態では、背当て部材２１は使用時に組立て可能で、不使用時は偏平に折畳み可能な箱形に形成されている。また、図６及び図７に示す実施形態では、上記背当て部材３５は、外包部材３３と、上記外包部材３３に収納される内部詰込部材３１とからなり、上記外包部材３３は上記背負いベルト３４ａ，３４ｂに接合されている。
【実施例１】
【００１６】  以下、添付図面（図１〜図３）に従って実施例１の鼾防止具１０について説明する。
上記鼾防止具１０は、背当て部材１１と背負いベルト１２ａ，１２ｂとにより構成されている。
上記背当て部材１１は、基体部１３と、蓋板１４と、中蓋１５とにより構成されている。
基体部１３は、壁面の平面部が網状に成型されたザル状で、開口側外周部にベルト通し１３ａ，１３ｂ，１３ｃ，１３ｄを設け、開口側端面部に長溝１３ｅ，１３ｆ，１３ｇ，１３ｈを設けてある。
蓋板１４は、背に当たる部分の平面が網状に成型された浅いザル状で内側は吸湿剤等の収納部１４ｉになる。蓋板１４の開口側端面部には、基体部１３に設けられた長溝１３ｅ，１３ｆ，１３ｇ，１３ｈに対応する位置に長突起１４ａ，１４ｂ，１４ｃ，１４ｄを設け、更に、蓋板１４の内側面の４面には凹部１４ｅ，１４ｆ，１４ｇ，１４ｈを設けてある。
上記中蓋１５は、平面部が網状に成型され、片側の面に仕切り１５ａ，１５ｂを設け、蓋板１４の収納部１４ｉに入れた吸湿剤等が移動しにくいようにしてある。更に、中蓋１５の平面外周部には、蓋板１４の内側面に設けられた凹部１４ｅ，１４ｆ，１４ｇ，１４ｈに対応する位置に凸部１５ｃ，１５ｄ，１５ｅ，１５ｆを設けてある。
上記中蓋１５の凸部１５ｃ，１５ｄ，１５ｅ，１５ｆを、蓋板１４の内側面にある凹部１４ｅ，１４ｆ，１４ｇ，１４ｈのそれぞれ対応する位置に合わせて、中蓋１５の仕切り１５ａ，１５ｂが、蓋板１４の内側へ向くようにして取外し可能にはめ込む。
次に、上記中蓋１５がはめ込まれた蓋板１４の、開口側端面部にある長突起１４ａ，１４ｂ，１４ｃ，１４ｄを、上記基体部１３の開口側端面部にある長溝１３ｅ，１３ｆ，１３ｇ，１３ｈのそれぞれの対応する位置に合わせて、分割可能にはめ込み結合することによって、背当て部材１１が形成される。
次に、上記により形成された背当て部材１１の構成部分である、基体部１３の開口側外周部に設けられたベルト通し１３ａに、背負いベルト１２ａの一端を取付け、他端をベルト通し１３ｃに通して長さ調節可能に取付ける。同様にして、背負いベルト１２ｂもベルト通し１３ｂと１３ｄへ長さ調節可能に取付ける。この背負いベルト１２ａ，１２ｂには背負ったとき胸前になる位置に、背負いベルトどうしを連結できるように、長さ調節可能な横ベルト１２ｃ，１２ｄをそれぞれ設けてある。
上記によって、鼾防止具１０が形成される。【００１７】  本考案の実施例１は、上述のような構成からなっており、就寝時に鼾防止具１０を背中に背負い、背負いベルト１２ａ，１２ｂと横ベルト１２ｃ，１２ｄの長さをそれぞれ調節して安定させた状態で背中に装着し、図３に示す様に横向き寝姿勢で就寝することにより背当て部材１１が仰向けの寝姿勢への姿勢変化を阻止し、横向きの寝姿勢を維持して舌根の喉への落込みがなくなり、鼾を防止し睡眠時無呼吸症候群の抑止になる。
【実施例２】
【００１８】  以下、添付図面（図４及び図５）に従って実施例２の鼾防止具２０について説明する。
上記鼾防止具２０は、背当て部材２１と背負いベルト２２ａ，２２ｂとにより構成されている。
上記背当て部材２１は、基体部２３と支枠２４ａ，２４ｂ及び、横棒２５ａ，２５ｂとにより構成されている。
上記基体部２３は、背に当たる部分の平面部が網状に成型された浅いザル状で、開口側外周部にベルト通し２３ａ，２３ｂ，２３ｃ，２３ｄを設けてあり、外周面の両側対称の位置に支枠２４ａ，２４ｂの支軸部２４ｃ，２４ｄ，２４ｅ，２４ｆを回転可能に軸支するための、軸支穴２３ｅ，２３ｆ，２３ｇ，２３ｈを設けてある。
支枠２４ａ，２４ｂは、リブ構造のコの字形で強固に成型されており、この支枠２４ａ２４ｂのコの字形の両先端部には、それぞれ支軸部２４ｃ，２４ｄ，２４ｅ，２４ｆを設けてある。
横棒２５ａ，２５ｂは、Ｌ字形断面で強固に成型されており、この横棒２５ａ，２５ｂの両先端部には、それぞれ切欠き２５ｃ，２５ｄ，２５ｅ，２５ｆを設けてある。
上記基体部２３の軸支穴２３ｅ，２３ｆへ、支枠２４ａの両先端部にある支軸部２４ｃ２４ｄを回転可能にはめ込む。この時、支枠２４ａの両リブ状の先端面２４ｇ，２４ｈが基体部２３の開口側端面部に当たる向きに取付けることによって、支枠２４ａを立て起こした際、先端面２４ｇ，２４ｈが基体部２３の開口側端面部に当たりストッパーとなって支枠２４ａの直立を保持する。同様にして、支枠２４ｂの支軸部２４ｅ，２４ｆを基体部２３の軸支穴２３ｇ，２３ｈへ、回転可能にはめ込んで取付ける。
次に、立て起こして直立した状態の支枠２４ａ，２４ｂの間へ橋渡しするように、横棒２５ａの切欠き部２５ｃ，２５ｄを支枠２４ａ，２４ｂの縁部へ図４のように片側へ寄せてはめ込み取付ける。同様にして、横棒２５ｂも支枠２４ａ，２４ｂの間へ、横棒２５ａの反対側へはめ込んで取付けることによって、背当て部材２１が形成される。
次に、上記背当て部材２１の開口側外周部にあるベルト通し２３ａへ、背負いベルト２２ａの一端を取付け、他端をベルト通し２３ｃへ通し、長さ調節可能になるように取付ける。同様にして、背負いベルト２２ｂもベルト通し２３ｂ，２３ｄへ、長さ調節可能になるように取付ける。この背負いベルト２２ａ，２２ｂには背負ったとき胸前になる位置に、背負いベルト２２ａ，２２ｂを連結できるように、長さ調節可能な横ベルト２２ｃ，２２ｄをそれぞれ設けてある。
上記によって、鼾防止具２０が形成される。【００１９】  本考案の実施例２は、上述のような構成からなっており、就寝時に鼾防止具２０を背中に背負い、背負いベルト２２ａ，２２ｂと横ベルト２２ｃ，２２ｄの長さをそれぞれ調節して安定した状態で背中に装着し、横向きで就寝することにより、背当て部材２１が仰向けの寝姿勢への変化を阻止して、横向き寝姿勢を維持し舌根の喉への落込みがなくなり、鼾を防止し、睡眠時無呼吸症候群の抑止になる。
更に、図４に示すような使用状態から使用後は、横棒２５ａ，２５ｂを取外して基体部２３の内部へそれぞれ収納し、支枠２４ａ，２４ｂをそれぞれ内側へ折畳むことによって、図５に示すように偏平な折畳み状態になる。折畳んだ時、背負いベルト２２ａ，２２ｂは取外さなくてもよい。
上記により、偏平な折畳み状態にして、旅行バック等に入れて携行し、旅行や出張先での就寝時には、折畳み部を展開し簡単に組立てて背負うことにより、横向きの寝姿勢になって鼾を防止し、同宿者にも迷惑を掛けず安眠できる。
【実施例３】
【００２０】  以下、添付図面（図６及図７）に従って実施例３の鼾防止具３０について説明する。
上記鼾防止具３０は、背当て部材３５と背負いベルト３４ａ，３４ｂとにより構成されている。
上記背当て部材３５は、外包部材３３と、上記外包部材３３に収納しうる内部詰込部材３１とにより構成されている。
上記内部詰込部材３１は、図７に示すように、ザル状に成型された箱状部３２ａと、同じくザル状に成型され上記箱状部３２ａに結合可能な蓋部３２ｂとにより構成され、全体が箱状に形成されている。
上記外包部材３３は、図６に示すように、袋本体部３３ａと、ファスナー３３ｃにより開閉可能な蓋部３３ｂとにより構成され、上記蓋部３３ｂを開口して上記内部詰込部材３１を収納可能としている。即ち、上記外包部材３３も上記内部詰込部材３１の形状に合わせて箱形に形成されている。
上記背負いベルト３４ａ，３４ｂは長さ調節可能で、上記袋本体部３３ａに一体に接合されている。また上記背負いベルト３４ａ，３４ｂには長さ調節可能な横ベルト３４ｃ，３４ｄが取付けられている。【００２１】  本考案の実施例３は、上述のような構成からなっており、就寝時に鼾防止具３０を背中へ背負い、背負いベルト３４ａ，３４ｂと横ベルト３４ｃ，３４ｄの長さを、それぞれ調節して安定した状態で背中に装着し、横向きで就寝することにより、上記背当て部材３５が仰向けの寝姿勢への姿勢変化を阻止して、横向き寝姿勢を維持し、舌根の喉への落込みがなくなり、鼾を防止し、睡眠時無呼吸症候群の抑止になる。
【産業上の利用可能性】
【００２２】  本考案は、鼾の防止具や睡眠時無呼吸症候群の抑止具に適用可能である。
【図面の簡単な説明】
【００２３】
【図１】  本考案の実施例１の外観形状を示す斜視図である。
【図２】  本考案の実施例１の主要構成部を示す斜視図である。
【図３】  本考案の実施例１の使用状態の、横向きの寝姿勢を示す図である。
【図４】  本考案の実施例２の外観形状を示す斜視図である。
【図５】  本考案の実施例２の折畳んだ状態を示す斜視図である。
【図６】  本考案の実施例３の外観形状を示す斜視図である。
【図７】  本考案の実施例３の背当て部材を構成する内部詰込部材の斜視図である。
【符号の説明】
【００２４】１０    鼾防止具
１１    背当て部材
１２ａ  背負いベルト
１２ｂ  背負いベルト
１３    基体部
１４    蓋板
１５    中蓋
２０    鼾防止具
２１    背当て部材
２２ａ  背負いベルト
２２ｂ  背負いベルト
２３    基体部
２４ａ  支枠
２４ｂ  支枠
２５ａ  横棒
２５ｂ  横棒
３０    鼾防止具
３１    内部詰込部材
３２ａ  箱状部
３２ｂ  蓋部
３３    外包部材
３３ａ  袋本体部
３３ｂ  蓋部
３３ｃ  ファスナー
３４ａ  背負いベルト
３４ｂ  背負いベルト
３５    背当て部材
【図１】
0003140269.tif 000003
【図２】
0003140269.tif 000004
【図３】
0003140269.tif 000005
【図４】
0003140269.tif 000006
【図５】
0003140269.tif 000007
【図６】
0003140269.tif 000008
【図７】
0003140269.tif 000009